(57)【要約】  測色計は、光学フィルタ部と、２次元センサと、第１の演算部と、を有する。光学フィルタ部は、透明基板と、測定対象物から出射された出射光を透過し、波長に対する分光透過率の特性が互いに異なり、透明基板の異なる位置にパターニングされた複数のフィルタと、を有する。２次元センサは、２次元的に配列された複数の画素を含む受光面を有しており、前記複数の画素のうち、前記出射光を受光した画素から受光信号を出力する。前記受光面の一部であり、２以上の画素を含む画素領域が、前記受光面の異なる位置に、複数設定されている。前記複数の画素領域のそれぞれは、前記複数のフィルタのそれぞれと対向している。前記複数の画素領域のそれぞれには、対向する前記フィルタを透過した前記出射光が入射される。前記第１の演算部は、前記複数の画素領域にそれぞれ含まれる画素から出力された前記受光信号を用いて、色に関する指標を演算する。
2018088466.tif 000002
【特許請求の範囲】
【請求項１】
透明基板と、測定対象物から出射された出射光を透過し、波長に対する分光透過率の特性が互いに異なり、前記透明基板の異なる位置にパターニングされた複数のフィルタと、を有する光学フィルタ部と、
２次元的に配列された複数の画素を含む受光面を有しており、前記複数の画素のうち、前記出射光を受光した画素から受光信号が出力される２次元センサと、を備え、
前記受光面の一部であり、２以上の画素を含む画素領域が、前記受光面の異なる位置に、複数設定されており、
前記複数の画素領域のそれぞれは、前記複数のフィルタのそれぞれと対向しており、
前記複数の画素領域のそれぞれには、対向する前記フィルタを透過した前記出射光が入射され、
さらに、
前記複数の画素領域にそれぞれ含まれる画素から出力された前記受光信号を用いて、色に関する指標を演算する第１の演算部を備える測色計。
【請求項２】
前記複数の画素領域にそれぞれ含まれる画素のなかで、前記指標の演算に使用する各画素群の画素位置を記憶する第１の記憶部をさらに含み、
前記各画素群の画素位置は、前記複数のフィルタのそれぞれと前記受光面との位置関係に基づき予め求められて前記第１の記憶部に記憶されている、請求項１に記載の測色計。
【請求項３】
前記複数の画素領域を画素領域群とし、複数の前記画素領域群を前記受光面の異なる位置に設定する設定部をさらに備え、
前記測定対象物は、複数の測定箇所を有しており、
前記複数の測定箇所と前記複数の画素領域群とにおいて、前記測定箇所と前記画素領域群とは、１対１対応をしており、
前記第１の演算部は、前記測定箇所と１対１対応する前記画素領域群を構成する前記複数の画素領域にそれぞれ含まれる画素から出力された前記受光信号を用いて、前記指標を演算する処理を第１の処理とし、前記複数の測定箇所のそれぞれについて、前記第１の処理をする、請求項１又は２に記載の測色計。
【請求項４】
前記複数の画素領域群の中から１以上の前記画素領域群の選択が入力される第１の入力部をさらに備え、
前記第１の演算部は、前記第１の入力部を用いて選択された１以上の前記画素領域群と１対１対応する前記測定箇所のそれぞれについて、前記第１の処理をする、請求項３に記載の測色計。
【請求項５】
前記複数の画素領域群の位置を示す位置情報が、前記測定対象物のアスペクト比に応じて定められており、前記位置情報と前記アスペクト比とを対応づけて予め記憶する第２の記憶部と、
前記アスペクト比が入力される第２の入力部と、をさらに備え、
前記第１の演算部は、前記第２の入力部を用いて入力された前記アスペクト比に対応付けられた前記位置情報で示す位置に設定された前記複数の画素領域群を用いて、前記複数の測定箇所のそれぞれについて、前記第１の処理をする、請求項３又は４に記載の測色計。
【請求項６】
前記測定対象物から出射された前記出射光を前記光学フィルタ部に導く光学系と、
前記光学フィルタ部の像を含む画像と前記光学系の撮像範囲を示す画像とを合成した合成画像を生成し、前記合成画像を表示部に表示させる表示制御部と、
前記合成画像を用いて、前記複数の画素領域群のそれぞれについて、前記受光面上の位置を入力ができる第３の入力部と、をさらに備え、
前記設定部は、前記第３の入力部を用いて入力された位置に前記複数の画素領域群を設定する、請求項３〜５のいずれか一項に記載の測色計。
【請求項７】
前記測定対象物から出射された前記出射光を前記光学フィルタ部に導く光学系と、
前記複数のフィルタは、所定の間隔を設けて、前記透明基板の異なる位置にパターニングされており、
前記複数の画素領域のうち隣り合う前記画素領域において、一方の前記画素領域と対向する前記フィルタに入射した前記出射光が、他方の前記画素領域に入射しない、前記所定の間隔の最小値を下記式で示すＭｉｎとし、
前記所定の間隔は、前記Ｍｉｎ以上である、請求項１〜５のいずれか一項に記載の測色計。
Ｍｉｎ＝ｋ×ｄ／Ｆｎｏ
（ここで、ｄは、対向する前記フィルタと前記画素領域との距離を示し、Ｆｎｏは、前記光学系のＦ値を示し、ｋは、比例定数を示す。）
【請求項８】
前記透明基板は、隣り合う前記フィルタ間を覆う遮光部を有する、請求項１〜７のいずれか一項に記載の測色計。
【請求項９】
請求項１又は２に記載の測色計を備える２次元測色装置であって、
前記出射光を２分割する光分割部と、
前記２分割された一方の光の光路に配置された前記測色計と、
前記２分割された他方の光の光路に配置された撮像部と、を備え、
前記第１の演算部は、前記複数の画素領域にそれぞれ含まれる画素から出力された前記受光信号を用いて、前記指標として三刺激値を演算し、
前記撮像部は、２次元撮像素子を含み、前記測定対象物に表示された色画像を撮像し、
前記２次元測色装置は、さらに、
前記撮像部から出力された前記色画像を示す信号を用いて、前記測定対象物に含まれる複数の測定箇所のそれぞれの三刺激値を演算する第２の演算部と、
前記第１の演算部で演算された三刺激値を用いて算出された補正係数を用いて、前記第２の演算部で演算された前記複数の測定箇所のそれぞれの三刺激値を補正する補正部と、を備える２次元測色装置。
【請求項１０】
前記２次元撮像素子は、前記複数の画素領域と１対１対応する複数の第２の画素領域を含み、
１対１対応する前記画素領域と前記第２の画素領域とにおいて、前記画素領域が受光する前記出射光と前記第２の画素領域が受光する前記出射光とは、前記測定対象物の同じ箇所から出射された前記出射光であり、
前記２次元測色装置は、さらに、前記複数の第２の画素領域にそれぞれ含まれる画素から出力された受光信号を用いて、三刺激値を演算する第３の演算部を備え、
前記補正部は、前記第１の演算部で演算された三刺激値と、前記第３の演算部で演算された三刺激値とを用いて算出された前記補正係数を用いて、前記第２の演算部で演算された前記複数の測定箇所のそれぞれの三刺激値を補正する、請求項９に記載の２次元測色装置。
【発明の詳細な説明】
【技術分野】
【０００１】
本発明は、表示装置のカラー表示性能を計測する技術に関する。
【背景技術】
【０００２】
表示装置は、表示性能の向上が求められており、特に、近年は、低輝度の性能が重要視されてきている。これに応えるべく、表示装置の表示性能を測定する測定装置も、低輝度での測定精度の向上が必要になってきている。【０００３】
低輝度での測定精度を向上するためには、高いＳ／Ｎ（Ｓｉｇｎａｌ  Ｎｏｉｓｅ  Ｒａｔｉｏ）が必要になる。なぜなら、Ｓ／Ｎが低いと、ノイズの中に信号が埋もれてしまい、色度又は輝度を正確に測定することができないためである。【０００４】
Ｓ／Ｎを向上するためには、以下の２つの方法がある。第１の方法は、センサに入射する光量を増加させるものである。第２の方法は、測定装置のノイズを減少させるものである。測定装置のノイズを減少させるにも限界があるため、センサに入射する光量を増加させることが考えられる。【０００５】
ところで、例えば特許文献１に記載の従来の測定装置では、表示装置から出射される光量の一部のみを測定装置に導いていた。その結果、測定装置は、表示装置から出射される光量の一部のみしか測定に使用していなかった。【０００６】
例えば、表示領域が１３３ｍｍ×７５ｍｍの表示装置を測定する場合、特許文献１では直径１０ｍｍの測定領域からの測定光を用いて測定しているので、全表示領域に対する測定領域の面積の比率は、下記式で示すように、約０．７９％である。このため測定装置は、表示領域の０．７９％の光量しか測定に使用していなかった。
５×５×π／（１３３×７５）×１００≒０．７９％【０００７】
この理由は、例えば、測定対象物が液晶ディスプレイの場合、視野角特性が存在するためである。すなわち、斜めに出射された光が含まれると、視野角特性の影響により斜めの角度に依存して測定結果にずれが生じてしまう。このため、特許文献１では法線方向に出射される光以外は含まれないようにする必要があった。【０００８】
しかしながら、例えば、測定対象物が有機エレクトロルミネッセンスディスプレイの場合には、液晶ディスプレイに比べて、視野角特性が良いので、測定対象物が有機ＥＬディスプレイの場合には、測定に使用する光量を増加させてＳ／Ｎを向上することが可能となる。【０００９】
測定に使用する光量を増加させるために、例えば特許文献２に記載のような、受光面積が大きい２次元センサを採用することが考えられる。特許文献２に記載の技術では、受光素子として２次元センサが採用され、この２次元センサに、色測定に適した分光応答度にするためのカラーフィルタが貼り付けられている。【００１０】
２次元センサの受光面は、２次元的に配列された複数の画素により構成される。２次元センサの受光面の一部であり、２以上の画素（画素群）を含む領域を画素領域とする。Ｘフィルタと対向する画素領域と、Ｙフィルタと対向する画素領域と、Ｚフィルタと対向する画素領域とが、受光面の異なる箇所に位置する構造、すなわち、Ｘフィルタ、Ｙフィルタ、及び、Ｚフィルタが、２次元センサの受光面の異なる箇所で受光面と対向する構造を有する測色計について考える。Ｘフィルタ、Ｙフィルタ、Ｚフィルタが別々に用意され、これらのフィルタが、受光面を覆うパッシベーション膜に貼り付けられるとする。【００１１】
Ｘフィルタは、多数のＸフィルタが形成されたガラス基板からダイシングによって切り出され、Ｙフィルタは、多数のＹフィルタが形成されたガラス基板からダイシングによって切り出され、Ｚフィルタは、多数のＺフィルタが形成されたガラス基板からダイシングによって切り出される。ダイシングによって、フィルタの縁部に、キズ、剥がれが不可避的に発生する。このため、フィルタの縁部は、適正なフィルタとして機能しないので、使用されず、デッドスペースとなる。ダイシングが原因となるデッドスペースの幅は、数ミリなので、デッドスペースの面積は、小さくない。従って、測定に使用する光量の低下量は、無視できない。【００１２】
特に、Ｘフィルタ、Ｙフィルタ及びＺフィルタの組が複数ある構造の場合、測定に使用される光量の低下が大きな問題となる。この測色計は、ＬＣＤ（ｌｉｑｕｉｄ  ｃｒｙｓｔａｌ  ｄｉｓｐｌａｙ）やＯＬＥＤ（Ｏｒｇａｎｉｃ  Ｌｉｇｈｔ  Ｅｍｉｔｔｉｎｇ  Ｄｉｏｄｅ）のうち、直下型バックライトを有するタイプの測色に使用される。直下型バックライトを有するタイプは、発光スペクトルが画面全体で均一でないので、画面の複数の箇所で測色が必要となるからである。【００１３】
上記構造（Ｘフィルタ、Ｙフィルタ及びＺフィルタの組が複数ある構造）では、多数のフィルタが受光面に配置されるので、これらのフィルタの面積が小さくなる。よって、数ミリの幅を有するデッドスペースは、光の利用効率を著しく悪くする。例えば、フィルタの縦横サイズが、１ｃｍより小さいとき、光の利用効率が５０パーセント以下になることがある。
【先行技術文献】
【特許文献】
【００１４】
【特許文献１】特開２００３−２４７８９１号公報
【特許文献２】特開２０１０−１４５１７７号公報
【発明の概要】
【００１５】
本発明の目的は、複数のフィルタが２次元センサの受光面の異なる箇所で受光面と対向する場合において、測定に使用される光の利用効率を向上させることができる測色計、及び、２次元測色装置を提供することである。
【００１６】
上述した目的を実現するために、本発明の一側面を反映した測色計は、光学フィルタ部と、２次元センサと、第１の演算部と、を有する。前記光学フィルタ部は、透明基板と、測定対象物から出射された出射光を透過し、波長に対する分光透過率の特性が互いに異なり、前記透明基板の異なる位置にパターニングされた複数のフィルタと、を有する。２次元センサは、２次元的に配列された複数の画素を含む受光面を有しており、前記複数の画素のうち、前記出射光を受光した画素から受光信号を出力する。前記受光面の一部であり、２以上の画素を含む画素領域が、前記受光面の異なる位置に、複数設定されている。前記複数の画素領域のそれぞれは、前記複数のフィルタのそれぞれと対向している。前記複数の画素領域のそれぞれには、対向する前記フィルタを透過した前記出射光が入射される。前記第１の演算部は、前記複数の画素領域にそれぞれ含まれる画素から出力された前記受光信号を用いて、色に関する指標を演算する。
【００１７】
発明の１又は複数の実施形態により与えられる利点及び特徴は以下に与えられる詳細な説明及び添付図面から十分に理解される。これら詳細な説明及び添付図面は、例としてのみ与えられるものであり本発明の限定の定義として意図されるものではない。
【図面の簡単な説明】
【００１８】
【図１Ａ】実施形態に係る測色計の構成を示すブロック図である。
【図１Ｂ】実施形態の変形例１に係る測色計の構成を示すブロック図である。
【図１Ｃ】実施形態の変形例２に係る測色計の構成を示すブロック図である。
【図２】図１Ａに示される測色計が測定対象物を測定している状態を概略的に示す図である。
【図３】２次元センサに貼り付けられた光学フィルタ部の平面図である。
【図４】フィルタの分光感度と、表示装置の画面全体が白色表示のときの分光分布との関係を示すグラフである。
【図５】標準表示装置の表示画面に赤の原色が表示されたとき、フィルタの位置と２次元センサの出力との関係を説明する説明図である。
【図６】１つの画素領域に関して、算出された画素位置を説明する説明図である。
【図７】複数の測定箇所を有する表示画面を備える表示装置の一例の平面図である。
【図８】変形例１に備えられる光学フィルタ部の平面図である。
【図９】複数の画素領域群が設定されている状態を説明する説明図である。
【図１０】遮光膜のパターニングに用いられるフォトマスクの一例の平面図である。
【図１１】Ｘフィルタのパターニングに用いられるフォトマスクの一例の平面図である。
【図１２Ａ】変形例１に係る光学フィルタ部の作製工程を示す第１工程図である。
【図１２Ｂ】同第２工程図である。
【図１２Ｃ】同第３工程図である。
【図１２Ｄ】同第４工程図である。
【図１２Ｅ】同第５工程図である。
【図１２Ｆ】同第６工程図である。
【図１２Ｇ】同第７工程図である。
【図１２Ｈ】同第８工程図である。
【図１３】１つの測定箇所を有する表示画面を備える表示装置の一例の平面図である。
【図１４】１つの画素領域群が設定されている状態を説明する説明図である。
【図１５】図９に示す複数の画素領域群と異なる位置に複数の画素領域群が設定されている状態を説明する説明図である。
【図１６】変形例２において使用される合成画像の一例を説明する説明図である。
【図１７】複数の画素領域群のそれぞれの位置が示された、合成画像の一例を説明する説明図である。
【図１８】変形例３の特徴を説明する説明図である。
【図１９】変形例４に係る２次元測色装置の構成を示すブロック図である。
【図２０】複数の第２の画素領域の一例が設定された２次元撮像素子の平面図である。
【図２１】測定箇所の数が異なる場合について、変形例１の動作を説明するフローチャートである。
【図２２】画面アスペクト比が異なる場合について、変形例１の動作を説明するフローチャートである。
【図２３】２次元センサの受光面にカラーフィルタが貼り付けられた状態の第１例を概略的に示す図である。
【図２４】２次元センサの受光面にカラーフィルタが貼り付けられた状態の第２例を概略的に示す図である。
【発明を実施するための形態】
【００１９】
以下、図面を参照して、本発明の１又は複数の実施形態が説明される。しかし、発明の範囲は、開示された実施形態に限定されない。
【００２０】
各図において、同一符号を付した構成は、同一の構成であることを示し、その構成について、既に説明している内容については、その説明を省略する。
【００２１】
実施形態の主な特徴として、特徴１と特徴２とがある。特徴１の基礎となった知見は、既に説明したように、デッドスペースが原因で光の利用効率が低下することである。特徴２の基礎となった知見について説明する。
【００２２】
図２３、図２４は、それぞれ、２次元センサ２の受光面２ａにカラーフィルタが貼り付けられた状態を概略的に示す図である。測定領域を広げた測色計を実現するためには、例えば、図２３に示されるように、カラーフィルタ１Ｘ，１Ｙ，１Ｚが受光面２ａと対向したモノクロの２次元センサ２を用いることが考えられる。この測色計では、測定時に、２次元センサ２の計算領域２Ｘから出力される受光信号に基づき、カラーフィルタ１Ｘに応じた測光量が計算され、計算領域２Ｙから出力される受光信号に基づき、カラーフィルタ１Ｙに応じた測光量が計算され、計算領域２Ｚから出力される受光信号に基づき、カラーフィルタ１Ｚに応じた測光量が計算される。
【００２３】
しかしながら、カラーフィルタ１Ｘ，１Ｙ，１Ｚが、２次元センサ２の受光面２ａと対向して配置される際に、例えば、図２４に示されるように、カラーフィルタ１Ｘ，１Ｙ，１Ｚの位置がずれて、カラーフィルタ１Ｙが配置されるべき計算領域２Ｙに、カラーフィルタ１Ｘの一部が配置されてしまうこともあり得る。
【００２４】
この場合、カラーフィルタ１Ｘを通った光により出力される受光信号が計算領域２Ｙに含まれることになる。また、カラーフィルタ１Ｘとカラーフィルタ１Ｙとの間の隙間を通った光により出力される受光信号も、計算領域２Ｙに含まれることになる。この場合、上述のように、計算領域２Ｙから出力される受光信号に基づき、カラーフィルタ１Ｙに応じた測光量が計算されるため、測定誤差となる。
【００２５】
一方、上記位置ずれを予め想定して、計算領域の面積を小さくすると、計算に使用する光量が減少するため、従来技術と変わらなくなり、低輝度の測定性能を向上することが困難になる。
【００２６】
以上の考察により、本発明者は、実施形態の特徴２を想到するに至った。
【００２７】
図１Ａは、実施形態に係る測色計２０の構成を示すブロック図である。図２は、図１Ａに示される測色計２０が測定対象物を測定している状態を概略的に示す図である。
【００２８】
図２において、実施形態では、測定対象物である表示装置１０は、例えば、有機ＥＬディスプレイである。なお、表示装置１０は、有機ＥＬディスプレイに限られず、液晶ディスプレイ、プラズマディスプレイなどの他のディスプレイでもよい。
【００２９】
測色計２０は、表示装置１０の表示画面１１から出射される出射光Ｌを受光する。測色計２０は、図１Ａに示されるように、レンズ３０と、光学フィルタ部５０−１と、２次元センサ６０−１と、制御処理部７１と、入力部７３と、表示部７５と、記憶部７７とを備える。
【００３０】
レンズ３０（光学系の一例）は、表示装置１０の表示画面１１と対向して配置される。レンズ３０は、光軸Ｌ０を有する。レンズ３０は、表示装置１０の表示画面１１から出射される出射光Ｌを光学フィルタ部５０−１へ導く。レンズ３０は、１つのレンズで構成されていてもよいし、複数のレンズで構成されていてもよい。
【００３１】
光学フィルタ部５０−１は、透明基板５４、Ｘフィルタ５１、Ｙフィルタ５２、及び、Ｚフィルタ５３を備える。透明基板５４は、例えば、ガラス基板である。透明基板５４の一方の面上に、Ｘフィルタ５１、Ｙフィルタ５２、Ｚフィルタ５３がそれぞれパターニングされている。Ｘフィルタ５１の隣に、所定の間隔を設けて、Ｙフィルタ５２が配置されている。Ｙフィルタ５２の隣に、所定の間隔を設けて、Ｚフィルタ５３が配置されている。これらのフィルタは、薄膜状である。
【００３２】
Ｘフィルタ５１、Ｙフィルタ５２、Ｚフィルタ５３は、それぞれ、２次元センサ６０−１の分光応答度との合成分光応答度が国際照明委員会（ＣＩＥ）の等色関数ｘ（λ）、ｙ（λ）、ｚ（λ）に一致するような分光透過率特性を有する。出射光Ｌは、Ｘフィルタ５１、Ｙフィルタ５２、Ｚフィルタ５３を透過して、２次元センサ６０−１の受光面６４に入射する。
【００３３】
以上説明したように、Ｘフィルタ５１、Ｙフィルタ５２、及び、Ｚフィルタ５３（複数のフィルタの一例）は、出射光Ｌを透過し、波長に対する分光透過率の特性が互いに異なり、透明基板５４の異なる位置にパターンニングされている。
【００３４】
モノクロの２次元センサ６０−１は、ＣＭＯＳ（Ｃｏｍｐｌｅｍｅｎｔａｒｙ  ＭＯＳ）センサ又はＣＣＤ（Ｃｈａｒｇｅ  Ｃｏｕｐｌｅｄ  Ｄｅｖｉｃｅ）センサで構成される。図３は、２次元センサ６０−１に貼り付けられた光学フィルタ部５０−１の平面図である。２次元センサ６０−１の受光面６４は、２次元的に配列された複数の画素（不図示）を含む。複数の画素のうち、出射光Ｌを受光した画素から受光信号が出力される。受光面６４を構成する画素数（すなわち、２次元センサ６０−１の画素数）は、ここでは、１９２０×１０８０とする。
【００３５】
画素領域６１，６２，６３は、それぞれ、受光面６４の一部である。画素領域６１，６２，６３は、それぞれ２以上の画素を含み、受光面６４の異なる位置にあり、互いに重なっていない。画素領域６１とＸフィルタ５１とは、対向している。画素領域６２とＹフィルタ５２とは、対向している。画素領域６３とＺフィルタ５３とは、対向している。従って、Ｘフィルタ５１を透過した出射光Ｌは、画素領域６１に入射し、Ｙフィルタ５２を透過した出射光Ｌは、画素領域６２に入射し、Ｚフィルタ５３を透過した出射光Ｌは、画素領域６３に入射する。
【００３６】
実施形態の特徴１について説明する。図３を参照して、Ｘフィルタ５１、Ｙフィルタ５２、Ｚフィルタ５３は、透明基板５４の異なる位置にパターニングされているので、これらのフィルタどうしは、パターニングによって分離されている。これにより、フィルタとフィルタとの間には、ダイシングよるデッドスペースが存在しない。従って、実施形態に係る測色計２０によれば、測定に使用する光の利用効率を向上させることができる。
【００３７】
図１Ａを参照して、制御処理部７１は、測色計２０が有する機能を実行するために必要な制御及び処理をする。制御処理部７１は、例えば、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、及び、ＨＤＤ（Ｈａｒｄ  Ｄｉｓｋ  Ｄｒｉｖｅ）等のハードウェア、並びに、制御処理部７１の機能を実行するためのプログラムおよびデータ等によって実現される。制御処理部７１の機能について、各機能の一部又は全部は、ＣＰＵによる処理に替えて、又は、これと共に、ＤＳＰ（Ｄｉｇｉｔａｌ  Ｓｉｇｎａｌ  Ｐｒｏｃｅｓｓｏｒ）による処理によって実現されてもよい。又、同様に、制御処理部７１の機能の一部又は全部は、ソフトウェアによる処理に替えて、又は、これと共に、専用のハードウェア回路による処理によって実現されてもよい。以上説明したことは、後述する制御処理部７１（図１９）についても同様である。図１Ａに示す制御処理部７１は、機能ブロックとして、第１の演算部７１０を備える。第１の演算部７１０については後で説明する。
【００３８】
入力部７３は、測定者（ユーザ）が測色計２０に命令、データ等を入力するための装置である。入力部７３は、キーボード、マウス、タッチパネル等によって実現される。
【００３９】
表示部７５は、制御処理部７１が算出した色度等を表示する装置である。表示部７５は、液晶ディスプレイ、有機ＥＬディスプレイ等によって実現される。
【００４０】
記憶部７７は、ＲＯＭ、ＨＤＤ等によって実現される。記憶部７７は、後で説明するように、２次元センサ６０−１に貼り付けられる光学フィルタ部５０−１に備えられるＸフィルタ５１、Ｙフィルタ５２、Ｚフィルタ５３の位置情報を予め記憶する。
【００４１】
図１Ａ及び図３を参照して、上述したように、画素領域６１は、受光面６４において、Ｘフィルタ５１と対向する領域である。画素領域６２は、受光面６４において、Ｙフィルタ５２と対向する領域である。画素領域６３は、受光面６４において、Ｚフィルタ５３と対向する領域である。画素領域６１，６２，６３にそれぞれ含まれる画素のなかで、色に関する指標（例えば、色度）の算出に使用する各画素群の画素位置は、測色計２０の生産段階で予め算出されて記憶部７７（第１の記憶部の一例）に記憶される。上述した特徴２の基礎となった知見が示すように、上記画素位置は、測色計２０の測定性能の向上のために重要である。上記画素位置の算出について説明する。
【００４２】
図４は、フィルタの分光感度と、表示装置１０の画面全体が白色表示のときの分光分布との関係を示すグラフである。グラフの横軸は、波長を示し、縦軸は、分光感度を示す。ｘ（λ）は、Ｘフィルタ５１の分光感度を示す。ｙ（λ）は、Ｙフィルタ５２の分光感度を示す。ｚ（λ）は、Ｚフィルタ５３の分光感度を示す。
【００４３】
Ｗ２５５は、表示装置１０の全画素の階調が２５５のとき、表示装置１０から出射される出射光Ｌの分光分布を示す。表示装置１０の階調は、２５６なので、２５５階調は、フルホワイトである。よって、表示装置１０の全体が白色表示されている。表示装置１０は、Ｒ光源、Ｇ光源、及び、Ｂ光源を備える。このため、Ｗ２５５は、Ｒ光源の発光で生じる分光分布Ｒ、Ｇ光源の発光で生じる分光分布Ｇ、及び、Ｂ光源の発光で生じる分光分布Ｂを含む。
【００４４】
表示装置１０のＲ光源のみが発光したとき、表示装置１０の全体に赤色の原色が表示される。この赤色の光の分光分布は、分光分布Ｒである。赤色の光の透過率は、Ｘフィルタ５１が高く、Ｙフィルタ５２が低く、Ｚフィルタ５３が０（赤色の光を透過しない）であることが分かる。
【００４５】
表示装置１０のＧ光源のみが発光したとき、表示装置１０の全体に緑色の原色が表示される。この緑色の光の分光分布は、分光分布Ｇである。緑色の光の透過率は、Ｙフィルタ５２が高く、Ｘフィルタ５１及びＺフィルタ５３が低いことが分かる。
【００４６】
表示装置１０のＢ光源のみが発光したとき、表示装置１０の全体に青色の原色が表示される。この青色の光の分光分布は、分光分布Ｂである。青色の光の透過率は、Ｚフィルタ５３が高く、Ｘフィルタ５１及びＹフィルタ５２が低いことが分かる。
【００４７】
上記画素位置の算出には、以上の現象が利用される。
【００４８】
上記画素位置を算出するために、例えば、Ｌｕ’ｖ’表色系におけるＬ値、ｕ’値、ｖ’値が既知の表示装置（以下、「標準表示装置」と称される）が、測色計２０によって測定される。
【００４９】
図５は、標準表示装置の表示画面に、例えば、赤の原色が表示されたとき、フィルタの位置と２次元センサ６０−１の出力との関係を説明する説明図である。受光面６４の画素数は、１９２０×１０８０である。図６は、画素領域６１に関して、算出された上記画素位置を説明する説明図である。制御処理部７１は、画素領域６１，６２，６３に関する上記画素位置を、以下の処理Ｓ１〜Ｓ８によって算出し、記憶部７７に記憶させる。
【００５０】
（処理Ｓ１）
まず、標準表示装置の画面全体が赤の原色に表示される。図４に示すように、Ｘフィルタ５１は、主に赤色に対する分光透過率が高い。そこで、制御処理部７１は、これらを利用して、Ｘフィルタ５１に関する上記画素位置を特定する。
【００５１】
（処理Ｓ２）
制御処理部７１は、赤色が表示された標準表示装置の表示画面を、２次元センサ６０−１に撮像させる。このとき、２次元センサ６０−１の出力をＳ（ｘ，ｙ）とする。図５では、説明の簡単のために，ｙ座標が５４０におけるその出力が示されている。
【００５２】
（処理Ｓ３）
制御処理部７１は、２次元センサ６０−１から出力される受光信号において、予め設定された閾値Ｔｈ＿ｒ以上になる、ｘ座標が最小の画素番号Ｐｒ（ｘｍｉｎ，５４０）とｘ座標が最大の画素番号Ｐｒ（ｘｍａｘ，５４０）とを求める。ここでの閾値Ｔｈ＿ｒは、Ｘフィルタ５１を透過した光により発生する受光信号の値より低く、Ｙフィルタ５２を透過した光により発生する受光信号の値より大きい。
【００５３】
（処理Ｓ４）
制御処理部７１は、ｙ軸方向にｙ＝１〜１０８０までｙ座標を順次変更して、処理Ｓ２，Ｓ３と同様の操作を行う。これによって、図６に示されるように、Ｘフィルタ５１に関する上記画素位置が特定される。
【００５４】
（処理Ｓ５）
制御処理部７１は、三刺激値を演算する際に、Ｘフィルタ５１の計算に使用する画素数Ｎｘを式（１）により算出する。
Ｎｘ＝Σ｛Ｐｒ（ｘｍａｘ，ｊ）−Ｐｒ（ｘｍｉｎ，ｊ）｝  （１）
ここで、ｊ＝ｕ〜ｂである。
【００５５】
（処理Ｓ６）
制御処理部７１は、処理Ｓ４で求めたＰｒ（ｘｍｉｎ，ｊ），Ｐｒ（ｘｍａｘ，ｊ），ｊ＝ｕ〜ｂと、処理Ｓ５で求めた画素数Ｎｘとを、測色計２０の記憶部７７に記憶させる。
【００５６】
（処理Ｓ７）
次に、標準表示装置の画面全体が緑の原色に表示される。図４に示すように、Ｙフィルタ５２は、主に緑色に対する分光透過率が高い。そこで、制御処理部７１は、これらを利用して、Ｙフィルタ５２に関する上記画素位置を特定する。すなわち、制御処理部７１は、処理Ｓ２〜Ｓ５と同様の動作を行う。そして、制御処理部７１は、Ｐｇ（ｘｍｉｎ，ｊ），Ｐｇ（ｘｍａｘ，ｊ），ｊ＝ｕ〜ｂと、画素数Ｎｙとを、測色計２０の記憶部７７に記憶させる。
【００５７】
（処理Ｓ８）
次に、標準表示装置の画面全体が青の原色に表示される。図４に示すように、Ｚフィルタ５３は、主に青色に対する分光透過率が高い。そこで、制御処理部７１は、これらを利用して、Ｚフィルタ５３に関する上記画素位置を特定する。すなわち、制御処理部７１は、処理Ｓ２〜Ｓ５と同様の動作を行う。そして、制御処理部７１は、Ｐｂ（ｘｍｉｎ，ｊ），Ｐｂ（ｘｍａｘ，ｊ），ｊ＝ｕ〜ｂと、画素数Ｎｚとを、測色計２０の記憶部７７に記憶させる。
【００５８】
Ｐｒ（ｘｍｉｎ，ｊ）〜Ｐｒ（ｘｍａｘ，ｊ），ｊ＝ｕ〜ｂは、画素領域６１に含まれる画素群（色に関する指標の算出に使用される画素群）、及び、この画素群の画素位置の一例である。Ｐｇ（ｘｍｉｎ，ｊ）〜Ｐｇ（ｘｍａｘ，ｊ），ｊ＝ｕ〜ｂは、画素領域６２に含まれる画素群（色に関する指標の算出に使用する画素群）、及び、この画素群の画素位置の一例である。Ｐｂ（ｘｍｉｎ，ｊ）〜Ｐｂ（ｘｍａｘ，ｊ），ｊ＝ｕ〜ｂは、画素領域６３に含まれる画素群（色に関する指標の算出に使用する画素群）、及び、この画素群の画素位置の一例である。
【００５９】
以上説明したように、画素領域６１の位置（画素領域６１に含まれる各画素群の画素位置）は、Ｘフィルタ５１と受光面６４との位置関係に基づき予め求められて記憶部７７に記憶されている。画素領域６２の位置（画素領域６２に含まれる各画素群の画素位置）は、Ｙフィルタ５２と受光面６４との位置関係に基づき予め求められて記憶部７７に記憶されている。画素領域６３の位置（画素領域６３に含まれる各画素群の画素位置）は、Ｚフィルタ５３と受光面６４との位置関係に基づき予め求められて記憶部７７に記憶されている。これが実施形態の特徴２である。特徴２によって、実施形態に係る測色計２０は、２次元センサ６０−１を搭載しつつ、高精度に測定することが可能になる。
【００６０】
次に、図１Ａを参照して、表示装置１０から出射される出射光Ｌの三刺激値Ｘ，Ｙ，Ｚの算出について説明する。制御処理部７１は、表示装置１０に備えられる表示画面１１の全体が赤色の原色に表示された状態で、Ｐｒ（ｘｍｉｎ，ｊ）〜Ｐｒ（ｘｍａｘ，ｊ）で示される画素群について、画素値の平均値を算出する。すなわち、制御処理部７１は、その画素群を構成する全画素のそれぞれについて、画素から出力された受光信号を用いて画素値を算出し、全画素の画素値の平均を算出する。算出された平均値は、三刺激値の一つであるＸ値となる。
【００６１】
制御処理部７１は、表示装置１０に備えられる表示画面１１の全体が緑色の原色に表示された状態で、Ｐｇ（ｘｍｉｎ，ｊ）〜Ｐｇ（ｘｍａｘ，ｊ）で示される画素群について、画素値の平均値を算出する。すなわち、制御処理部７１は、その画素群を構成する全画素のそれぞれについて、画素から出力された受光信号を用いて画素値を算出し、全画素の画素値の平均を算出する。算出された平均値は、三刺激値の一つであるＹ値となる。
【００６２】
制御処理部７１は、表示装置１０に備えられる表示画面１１の全体が青色の原色に表示された状態で、Ｐｂ（ｘｍｉｎ，ｊ）〜Ｐｂ（ｘｍａｘ，ｊ）で示される画素群について、画素値の平均値を算出する。すなわち、制御処理部７１は、その画素群を構成する全画素のそれぞれについて、画素から出力された受光信号を用いて画素値を算出し、全画素の画素値の平均を算出する。算出された平均値は、三刺激値の一つであるＺ値となる。
【００６３】
制御処理部７１は、式（２）を用いて、ｘ、ｙを算出する。
ｘ＝Ｘ／（Ｘ＋Ｙ＋Ｚ）、ｙ＝Ｙ／（Ｘ＋Ｙ＋Ｚ）      （２）
【００６４】
以上説明したように、制御処理部７１は、第１の演算部７１０の機能を有する。第１の演算部７１０は、複数の画素領域（画素領域６１，６２，６３）にそれぞれ含まれる画素から出力された受光信号を用いて、測定対象物の色に関する指標を演算する。
【００６５】
実施形態の変形例について説明する。変形例１は、Ｘフィルタ５１、Ｙフィルタ５２、Ｚフィルタ５３の組み合わせを複数有する。これにより、以下のことに対応することができる。
測定箇所が複数ある。
測定箇所の数が異なる。
画面アスペクト比が異なる。
【００６６】
変形例１は、複数の測定箇所を有する表示画面１１を備える表示装置１０に適用される。図１Ｂは、実施形態の変形例１に係る測色計２０の構成を示すブロック図である。図１Ｂと図１Ａとの違いは、制御処理部７１を構成する機能ブロックである。変形例１は、第１の演算部７１０に加えて、設定部７１１を備える。設定部７１１については後で説明する。図７は、複数の測定箇所を有する表示画面１１を備える表示装置１０の一例の平面図である。例えば、直下型バックライトを有する表示装置１０は、発光スペクトルが画面全体で均一でないので、複数の測定箇所で測色が必要となる。図７では、９個の測定箇所１３ａ〜１３ｉが示されている。以下、測定箇所の総称を測定箇所１３と記載する。
【００６７】
図８は、変形例１に備えられる光学フィルタ部５０−２の平面図である。光学フィルタ部５０−２が図３に示す光学フィルタ部５０−１と異なる点はＸフィルタ５１、Ｚフィルタ５３、Ｙフィルタ５２が周期的に繰り返し配置されていることである。図９は、複数の画素領域群が設定されている状態を説明する説明図である。図９において、二次元センサ６０−２及び光学フィルタ部５０−２が平面で示されている。受光面６４には、９つの画素領域群６５ａ〜６５ｉが配置されている。以下、画素領域群の総称を画素領域群６５と記載する。
【００６８】
図８及び図９を参照して、２次元センサ６０−２の受光面６４は、長方形状を有する。受光面６４の長手方向が第１の方向Ｄ１とし、受光面６４の長手方向と直交する方向が第２の方向Ｄ２とする。図７に示すように、表示画面１１には、９個の測定箇所１３ａ〜１３ｉがあるので、受光面６４には、９個の画素領域群６５ａ〜６５ｉが設定されている。
【００６９】
光学フィルタ部５０−２は、５個のフィルタ群５５ａ〜５５ｅを備える。以下、フィルタ群の総称をフィルタ群５５と記載する。これらのフィルタ群５５は、それぞれ、一組のＸフィルタ５１、Ｙフィルタ５２、Ｚフィルタ５３を備える。これらのフィルタは、長尺形状を有しており、Ｘフィルタ５１、Ｚフィルタ５３、Ｙフィルタ５２の順番で、第１の方向Ｄ１に沿って、これらのフィルタが周期的に繰り返し配置されている。隣り合うフィルタの間には、所定の間隔が設けられている。透明基板５４の一方の面のうち、Ｘフィルタ５１、Ｙフィルタ５２、Ｚフィルタ５３が配置されている箇所以外は、遮光膜５６で覆われている。遮光膜５６は、例えば、クロム膜である。
【００７０】
隣り合うフィルタ間を通過した出射光Ｌが、画素領域群６５（画素領域６１，６２，６３）に入射すれば、測定精度が低下する。変形例１によれば、隣り合う前記フィルタ間を覆う遮光膜５６（遮光部の一例）があるので、隣り合うフィルタ間を通過した出射光Ｌが、画素領域群６５（画素領域６１，６２，６３）に入射することを防止できる。
【００７１】
フィルタ群５５ａのＹフィルタ５２、フィルタ群５５ｂのＸフィルタ５１、及び、フィルタ群５５ｂのＺフィルタ５３の組み合わせと対向して、画素領域群６５ａ〜６５ｃが配置されている。これらは、第２の方向Ｄ２に沿って配置されている。
【００７２】
フィルタ群５５ｃのＸフィルタ５１、Ｚフィルタ５３、及び、Ｙフィルタ５２の組み合わせと対向して、画素領域群６５ｄ〜６５ｆが配置されている。これらは、第２の方向Ｄ２に沿って配置されている。
【００７３】
フィルタ群５５ｄのＺフィルタ５３、フィルタ群５５ｄのＹフィルタ５２、及び、フィルタ群５５ｅのＸフィルタ５１の組み合わせと対向して、画素領域群６５ｇ〜６５ｉが配置されている。これらは、第２の方向Ｄ２に沿って配置されている。
【００７４】
図７及び図９を参照して、９個の測定箇所１３ａ〜１３ｉと９個の画素領域群６５ａ〜６５ｉとにおいて、測定箇所１３と画素領域群６５とは、１対１対応をしている。すなわち、測定箇所１３ａの測色には、画素領域群６５ａが用いられ、測定箇所１３ｂの測色には、画素領域群６５ｂが用いられ、・・・、測定箇所１３ｈの測色には、画素領域群６５ｈが用いられ、測定箇所１３ｉの測色には、画素領域群６５ｉが用いられる。
【００７５】
光学フィルタ部５０−２の作製方法の一例を説明する。図１０は、遮光膜５６のパターニングに用いられるフォトマスク４１の一例の平面図である。フォトマスク４１において、透明領域４２が白で示され、非透明領域４３がハッチングで示される。透明領域４２は、図９に示す遮光膜５６がパターニングされる領域と対応する。非透明領域４３は、図９に示すＸフィルタ５１、Ｙフィルタ５２、Ｚフィルタ５３がパターニングされる領域と対応する。
【００７６】
図１１は、Ｘフィルタ５１のパターニングに用いられるフォトマスク４４の一例の平面図である。フォトマスク４４において、透明領域４５が白で示され、非透明領域４６がハッチングで示される。透明領域４５は、Ｘフィルタ５１がパターニングされる領域と対応する。非透明領域４６は、遮光膜５６、Ｙフィルタ５２、Ｚフィルタ５３がパターニングされる領域と対応する。
【００７７】
図１２Ａ〜図１２Ｈは、光学フィルタ部５０−２の作製工程を示す工程図である。透明基板５４、Ｘフィルタ５１、Ｙフィルタ５２、Ｚフィルタ５３、遮光膜５６、及び、レジスト１０１〜１０４は、断面で示されている。図１２Ａを参照して、透明基板５４の一方の面の全面に、レジスト１０１が塗布される。図１０に示すフォトマスク４１を用いて、レジスト１０１が選択的に露光される。レジスト１０１のうち、露光された部分が除去された状態が、図１２Ａである。レジスト１０１が除去されている領域が、遮光膜５６の形成領域となる。図１２Ａに示す状態で、透明基板５４の一方の面の全面に、遮光膜５６となる薄膜が形成される。この薄膜は、例えば、クロム膜である。
【００７８】
透明基板５４が洗浄されることにより、レジスト１０１が除去される。これにより、図１２Ｂに示すように、透明基板５４の一方の面に、遮光膜５６がパターニングされる。
【００７９】
図１２Ｃを参照して、図１２Ｂに示す状態で、透明基板５４の一方の面の全面に、レジスト１０２が塗布される。図１１に示すフォトマスク４４を用いて、レジスト１０２が選択的に露光される。レジスト１０２のうち、露光された部分が除去された状態が、図１２Ｃである。レジスト１０２が除去されている領域が、Ｘフィルタ５１の形成領域となる。図１２Ｃに示す状態で、透明基板５４の一方の面の全面に、Ｘフィルタ５１となる薄膜が形成される。
【００８０】
透明基板５４が洗浄されることにより、レジスト１０２が除去される。これにより、図１２Ｄに示すように、透明基板５４の一方の面に、Ｘフィルタ５１がパターニングされる。
【００８１】
図１２Ｅを参照して、図１２Ｄに示す状態で、透明基板５４の一方の面の全面に、レジスト１０３が塗布される。Ｙフィルタ５２のパターニングに用いられるフォトマスク（不図示）を用いて、レジスト１０３が選択的に露光される。レジスト１０３のうち、露光された部分が除去された状態が、図１２Ｅである。レジスト１０３が除去されている領域が、Ｙフィルタ５２の形成領域となる。図１２Ｅに示す状態で、透明基板５４の一方の面の全面に、Ｙフィルタ５２となる薄膜が形成される。
【００８２】
透明基板５４が洗浄されることにより、レジスト１０３が除去される。これにより、図１２Ｆに示すように、透明基板５４の一方の面に、Ｙフィルタ５２がパターニングされる。
【００８３】
図１２Ｇを参照して、図１２Ｆに示す状態で、透明基板５４の一方の面の全面に、レジスト１０４が塗布される。Ｚフィルタ５３のパターニングに用いられるフォトマスク（不図示）を用いて、レジスト１０４が選択的に露光される。レジスト１０４のうち、露光された部分が除去された状態が、図１２Ｇである。レジスト１０４が除去されている領域が、Ｚフィルタ５３の形成領域となる。図１２Ｇに示す状態で、透明基板５４の一方の面の全面に、Ｚフィルタ５３となる薄膜が形成される。
【００８４】
透明基板５４が洗浄されることにより、レジスト１０４が除去される。これにより、図１２Ｈに示すように、透明基板５４の一方の面に、Ｚフィルタ５３がパターニングされる。以上により、光学フィルタ部５０−２が完成される。なお、図３に示す光学フィルタ部５０−１は、光学フィルタ部５０−２と同様の方法で作成することができる。但し、光学フィルタ部５０−１は、遮光膜５６を備えないので、遮光膜５６のパターニング工程は、省略される。
【００８５】
変形例１は、測定箇所１３の数が異なる場合に対応することができる。これについて説明する。変形例１は、表示画面１１が有する測定箇所１３の数に応じて、複数の画素領域群６５を選択することができる。例えば、発光スペクトルが画面全体で均一である表示装置１０では、測定箇所１３が１つでよい。図１３は、１つの測定箇所１３を有する表示画面１１を備える表示装置１０の一例の平面図である。測定箇所１３ｅが、表示画面１１の中央に位置する。一方、図７で説明したように、発光スペクトルが画面全体で均一でない表示装置１０では、測定箇所１３が複数となる。
【００８６】
図１４は、１つの画素領域群６５ｅが設定されている状態を説明する説明図である。図１４において、二次元センサ６０−２及び光学フィルタ部５０−２が平面で示されている。図２１は、測定箇所１３の数が異なる場合について、変形例１の動作を説明するフローチャートである。測定個所の数として、１つ又は９つが選択される例で説明する。図１及び図１４を参照して、表示装置１０の測定箇所１３が１つのとき、測定者は、入力部７３（第１の入力部の一例）を操作して、測定箇所１３が１つである命令を入力する（図２１のステップＳ１）。これにより、設定部７１１は、測定箇所１３が１つと判断し（図２１のステップＳ２でＹｅｓ）、設定部７１１は、図１３に示す測定箇所１３ｅと１対１対応する画素領域群６５ｅを二次元センサ５０−２の受光面６４に設定する（図２１のステップＳ３）。
【００８７】
測定者が、入力部７３を用いて測定命令を入力したとき、第１の演算部７１０は、測定箇所１３ｅと一対一に対応する画素領域群６５ｅを構成する画素領域６１，６２，６３にそれぞれ含まれる画素から出力された受光信号を用いて、色に関する指標（例えば、色度）を演算する処理（第１の処理）をする（図２１のステップＳ４）。
【００８８】
図１及び図９を参照して、表示装置１０の測定箇所１３が９つのとき、測定者は、入力部７３を操作して、測定箇所１３が９つである命令を入力する（図２１のステップＳ１）。これにより、設定部７１１は、測定箇所１３が９つと判断し（図２１のステップＳ２でＮｏ）、設定部７１１は、は、図７に示す測定箇所１３ａ〜１３ｉと１対１対応する画素領域群６５ａ〜６５ｉを二次元センサ５０−２の受光面６４に設定する（図２１のステップＳ５）。
【００８９】
測定者が、入力部７３を用いて測定命令を入力したとき、第１の演算部７１０は、測定箇所１３ａ〜１３ｉのそれぞれについて、上記第１の処理をする（図２１のステップＳ６）。
【００９０】
以上説明したように、入力部７３には、複数の画素領域群６５ａ〜６５ｉの中から１以上の画素領域群６５の選択が入力される。制御処理部７１は、入力部７３を用いて選択された１以上の画素領域群６５と１対１対応する測定箇所１３のそれぞれについて、上記第１の処理をする。
【００９１】
変形例１は、画面アスペクト比が異なる場合に対応することができる。これについて説明する。複数の測定箇所１３によって、画面全体をカバーできるように、複数の測定箇所１３が配置されなければならない。変形例１は、画面アスペクト比に応じて、複数の測定箇所１３の位置を異ならせる。
【００９２】
図９に示す画素領域群６５ａ〜６５ｉの配置は、画面アスペクト比が、例えば、４：３を有する表示装置１０に対応する。図９に示す画素領域群６５ａ〜６５ｉの配置では、画面アスペクト比が、例えば、１６：９を有する表示装置１０のとき、表示画面１１の全体をカバーできない。
【００９３】
図１５は、図９に示す複数の画素領域群６５と異なる位置に複数の画素領域群６５が設定されている状態を説明する説明図である。図１５において、二次元センサ６０−２及び光学フィルタ部５０−２が平面で示されている。図１５に示す画素領域群６５ａ〜６５ｉの配置は、画面アスペクト比が、１６：９を有する表示装置１０に対応する。
【００９４】
図１５に示す画素領域群６５ａ〜６５ｉが、図９に示す画素領域群６５ａ〜６５ｉと異なる点は、画素領域群６５ａ〜６５ｃ、及び、画素領域群６５ｇ〜６５ｉの位置である。詳しく説明すると、図１５において、フィルタ群５５ａのＺフィルタ５３、フィルタ群５５ａのＹフィルタ５２、及び、フィルタ群５５ｂのＸフィルタ５１の組み合わせと対向して、画素領域群６５ａ〜６５ｃが配置されている。フィルタ群５５ｄのＹフィルタ５２、フィルタ群５５ｅのＸフィルタ５１、及び、フィルタ群５５ｅのＺフィルタ５３の組み合わせと対向して、画素領域群６５ｇ〜６５ｉが配置されている。
【００９５】
複数の画素領域群６５の位置を示す位置情報が、画面アスペクト比（測定対象物のアスペクト比）に応じて定められている。図１に示す記憶部７７（第２の記憶部の一例）は、位置情報と画面アスペクト比とを対応づけて予め記憶する。
【００９６】
図２２は、画面アスペクト比が異なる場合について、変形例１の動作を説明するフローチャートである。画面アスペクト比として、１６：９又は４：３が選択される例で説明する。画面アスペクト比が１６：９のとき、測定者は、入力部７３（第２の入力部の一例）を操作して、画面アスペクト比が１６：９を示す命令を入力する（図２２のステップＳ１１）。これにより、設定部７１１は、画面アスペクト比が１６：９と判断し（図２２のステップＳ１２でＹｅｓ）、設定部７１１は、図１５に示す画素領域群６５ａ〜６５ｉを二次元センサ５０−２の受光面６４に設定する（図２２のステップＳ１３）。一方、画面アスペクト比が４：３のとき、測定者は、入力部７３（第２の入力部の一例）を操作して、画面アスペクト比が４：３を示す命令を入力する（図２２のステップＳ１１）。これにより、設定部７１１は、画面アスペクト比が４：３と判断し（図２２のステップＳ１２でＮｏ）、設定部７１１は、図９に示す画素領域群６５ａ〜６５ｉを二次元センサ５０−２の受光面６４に設定する（図２２のステップＳ１４）。
【００９７】
測定者が、入力部７３を用いて測定命令を入力したとき、第１の演算部７１０は、測定箇所１３ａ〜１３ｉのそれぞれについて、上記第１の処理をする（図２２のステップＳ１５）。すなわち、第１の演算部７１０は、入力部７３を用いて入力された画面アスペクト比に対応付けられた位置情報で示す位置に設定された画素領域群６５ａ〜６５ｉを用いて、測定箇所１３ａ〜１３ｉのそれぞれについて、上記第１の処理をする。
【００９８】
実施形態の変形例２を説明する。変形例２において、測定者やサービスマン（以下、測定者等）が複数の画素領域群６５の位置を設定することができる。図１Ｃは、実施形態の変形例２に係る測色計２０の構成を示すブロック図である。図１Ｃと図１Ａとの違いは、制御処理部７１を構成する機能ブロックである。変形例２は、第１の演算部７１０に加えて、表示制御部７１２及び設定部７１３を備える。表示制御部７１２及び設定部７１３については後で説明する。図１及び図９を参照して、複数の画素領域群６５のうち、レンズ３０の撮像範囲内に配置されていない画素領域群６５が存在すれば、その画素領域群６５と１対１対応する測定箇所１３の測色ができない。そこで、測色計２０の製造において、複数の画素領域群６５の全てが、レンズ３０（光学系の一例）の撮像範囲内に入るように、複数の画素領域群６５のそれぞれの位置が、測色計２０に予め設定される。
【００９９】
しかし、測色計２０の使用が開始された後、何らかの原因で、レンズ３０の光軸Ｌ０がずれたとき、レンズ３０の撮像範囲内に配置されていない画素領域群６５が存在するおそれがある。そこで、変形例２は、測定者等が、複数の画素領域群６５のそれぞれの位置を設定できるようにする。
【０１００】
図１６は、変形例２において使用される合成画像１１１の一例を説明する説明図である。合成画像１１１は、画像１１２と画像１１３とが合成された画像である。画像１１２は、二次元センサ６０−２の平面像と光学フィルタ部５０−２の平面像とを重ねた画像である。光学フィルタ部５０−２の平面像が上であり、二次元センサ６０−２の平面像が下である。画像１１２は、光学フィルタ部５０−２の像を含む画像の一例である。画像１１３は、レンズ３０の撮像範囲（一点鎖線で示される範囲）を示す画像である。
【０１０１】
図１及び図１６を参照して、レンズ３０の光軸Ｌ０が公知の測定方法によって測定される。制御処理部７１は、測定された光軸Ｌ０について、画像１１２上の位置を特定する。光軸Ｌ０は、レンズ３０の撮像範囲の中央、すなわち、画像１１３の中央を通る。表示制御部７１２は、画像１１２上の光軸Ｌ０の位置に画像１１３の中央が位置するように、画像１１２と画像１１３とを合成して、合成画像１１１を生成する。
【０１０２】
表示制御部７１２は、合成画像１１１を表示部７５に表示させる。測定者等は、入力部７３（第３の入力部の一例）を用いて、複数の画素領域群６５ａ〜６５ｉのそれぞれの位置を、合成画像１１１上に示す。これは、合成画像１１１を用いて、複数の画素領域群６５ａ〜６５ｉのそれぞれについて、受光面６４上の位置が入力されることを意味する。図１７は、複数の画素領域群６５ａ〜６５ｉのそれぞれの位置が示された、合成画像１１１の一例を説明する説明図である。
【０１０３】
測定者等は、入力部７３を用いて、複数の画素領域６５ａ〜６５ｉのそれぞれの位置を確定する入力をする。これにより、設定部７１３は、入力部７３を用いて入力された上記位置に複数の画素領域群６５ａ〜６５ｉを設定し、そして、上記位置を示す位置情報を記憶部７７に記憶させる。設定部７１３は、測色計２０が使用されるとき、記憶部７７から上記位置情報を読み出して、この位置情報を従って、受光面６４に、複数の画素領域群６５ａ〜６５ｉを設定する。
【０１０４】
実施形態の変形例３を説明する。以下、Ｘフィルタ５１、Ｙフィルタ５２、Ｚフィルタ５３の総称をフィルタ５と記載する。画素領域６１，６２，６３の総称を画素領域６と記載する。図１を参照して、隣り合うフィルタ５（例えば、Ｘフィルタ５１、Ｙフィルタ５２）において、一方のフィルタ５（Ｘフィルタ５１）に入射した出射光Ｌが、他方のフィルタ５（Ｙフィルタ５２）と対向する画素領域６（画素領域６２）に入射する現象が発生すれば、測色計２０の測定精度が低下する。なぜならば、この画素領域６には、一方のフィルタ５に入射した出射光Ｌと、他方のフィルタ５に入射した出射光Ｌとが入射するからである。そこで、変形例３は、隣り合うフィルタ５の間隔を所定値以上にして、上記現象を防止することを特徴とする。
【０１０５】
図１８は、変形例３の特徴を説明する説明図である。図１８は、図９に示す二次元センサ６０−２に光学フィルタ部５０−２が貼り付けられた状態において、これらの一部の断面が示されている。二次元センサ６０−２の受光面６４の全面に、受光面６４を保護するための透明保護膜６６（パッシベーション膜）が形成されている。隣り合うフィルタ５として、Ｘフィルタ５１、Ｙフィルタ５２が示されている。隣り合うフィルタ５は、所定の間隔が設けられている。隣り合うフィルタ５間は、遮光膜５６で覆われている。
【０１０６】
Ｍｉｎは、上記所定の間隔の最小値とする。上記所定の間隔は、隣り合う画素領域６において、一方の画素領域６と対向するフィルタ５に入射した出射光Ｌが、他方の画素領域６に入射しない条件を満たす。具体的に説明すると、所定の間隔は、Ｘフィルタ５１に入射した出射光Ｌが、画素領域６２に入射しない条件を満たし、かつ、Ｙフィルタ５２に入射した出射光Ｌが、画素領域６１に入射しない条件を満たす。
【０１０７】
上記所定の間隔の最小値を、式（３）で示すＭｉｎとする。
Ｍｉｎ＝ｋ×ｄ／Ｆｎｏ      （３）
【０１０８】
ここで、ｄは、対向するフィルタ５と画素領域６との距離を示し、Ｆｎｏは、レンズ３０（光学系の一例）のＦ値を示し、ｋは、比例定数を示す。
【０１０９】
比例定数の大きさは、透明保護膜６６の屈折率に依存する。例えば、光学用途のポリメタクリル酸メチル樹脂の場合、比例定数は、０．３〜０．３５である。
【０１１０】
変形例３は、上記所定の間隔が、Ｍｉｎ以上にされている。これにより、上記現象を防止することができる。
【０１１１】
実施形態の変形例４を説明する。変形例４は、図１に示す測色計２０を備える２次元測色装置である。変形例４は、測色計２０によって得られた三刺激値ＸＹＺを用いて、２次元カラー画像を補正する。図１９は、変形例４に係る２次元測色装置２００の構成を示すブロック図である。
【０１１２】
２次元測色装置２００は、受光部２１０及び本体部２２０を備える。受光部２１０は、撮像光学系２１１、ビームスプリッタ２１２、撮像部２１３、光学フィルタ部５０−１、及び、２次元センサ６０−１を備える。
【０１１３】
撮像光学系２１１は、光学レンズを含み、表示画面１１の全体からの出射光Ｌを集束する。
【０１１４】
ビームスプリッタ２１２（光分割部の一例）は、集束された出射光Ｌを２分割する。詳しく説明すると、ビームスプリッタ２１２は、上記集束された出射光Ｌの一部を透過し、残りを反射する。反射した出射光Ｌを光Ｌ１とし、透過した出射光Ｌを出射光Ｌ２とする。ビームスプリッタ２１２は、集束された出射光Ｌのうち、例えば、１０パーセントを透過し、９０パーセントを反射する。
【０１１５】
出射光Ｌ１の光路には、図１に示す光学フィルタ部５０−１及び２次元センサ６０−１が配置されている。出射光Ｌ１は、光学フィルタ部５０−１を介して、２次元センサ６０−１に入射する。２次元センサ６０−１が出射光Ｌ１を受光したとき、２次元センサ６０−１を構成する複数の画素（不図示）のそれぞれが受光信号を出力する。これが、受光部２１０が出力する信号ＳＧ１である。
【０１１６】
出射光Ｌ２の光路には、撮像部２１３が配置されている。撮像部２１３は、カラーフィルタ２１４と２次元撮像素子８０とを備える。カラーフィルタ２１４は、Ｒ成分を透過するフィルタ、Ｇ成分を透過するフィルタ、及び、Ｂ成分を透過するフィルタにより構成される。
【０１１７】
２次元撮像素子８０は、例えば、ＣＭＯＳセンサ又はＣＣＤセンサであり、２次元領域を測定範囲とする光学センサである。２次元撮像素子８０は、カラーフィルタ２１４を介して出射光Ｌ２を受光することにより、表示画面１１の全体の色画像（測定対象物に表示された色画像）を撮像し、撮像した色画像を示す電気信号を出力する。これが、受光部２１０が出力する信号ＳＧ２である。色画像とは、原色画像でもよいし、カラー画像（例えば、白色画像）でもよい。
【０１１８】
本体部２２０は、制御処理部７１、入力部７３、表示部７５及び記憶部７７を備える。図１９に示す制御処理部７１と図１Ａに示す制御処理部７１との違いは、制御処理部７１を構成する機能ブロックである。図１９に示す制御処理部７１は、第１の演算部７１０に加えて、第２の演算部７１４、第３の演算部７１５及び補正部７１６を備える。第２の演算部７１４、第３の演算部７１５及び補正部７１６については後で説明する。
【０１１９】
２次元撮像素子８０には、複数の第２の画素領域が設定される。図２０は、３つの第２の画素領域８１，８２，８３（複数の第２の画素領域の一例）が設定された２次元撮像素子８０の平面図である。第２の画素領域８１，８２，８３は、それぞれ、２次元撮像素子８０の受光面８４の一部である。第２の画素領域８１，８２，８３は、それぞれ２以上の画素を含み、受光面８４の異なる位置にあり、互いに重なっていない。
【０１２０】
第２の画素領域８１は、図３に示す画素領域６１と対応しており、第２の画素領域８２は、画素領域６２と対応しており、第２の画素領域８３は、画素領域６３と対応している。すなわち、複数の画素領域と複数の第２の画素領域とにおいて、画素領域と第２の画素領域とが１対１対応している。画素領域６１が受光する出射光Ｌと第２の画素領域８１が受光する出射光Ｌとは、表示装置１０の表示画面１１の同じ箇所から出射された出射光Ｌである。画素領域６２が受光する出射光Ｌと第２の画素領域８２が受光する出射光Ｌとは、表示装置１０の表示画面１１の同じ箇所から出射された出射光Ｌである。画素領域６３が受光する出射光Ｌと第２の画素領域８３が受光する出射光Ｌとは、表示装置１０の表示画面１１の同じ箇所から出射された出射光Ｌである。
【０１２１】
第２の画素領域８１，８２，８３の受光面８４上の位置は、２次元測色装置２００の生産段階で予め算出され、記憶部７７に記憶される。上記位置の算出について説明する。
【０１２２】
図３、図１９及び図２０を参照して、２次元センサ６０−１の受光面６４を構成する画素を画素Ｐ１（不図示）とする。２次元撮像素子８０の受光面８４を構成する画素を画素Ｐ２（不図示）とする。標準表示装置（不図示）の表示画面を構成する画素を画素Ｐ３（不図示）とする。
【０１２３】
標準表示装置の表示画面を構成する画素Ｐ３が、１つずつ順番に白色表示される。すなわち、１番目の画素Ｐ３が白色表示され、残りの画素Ｐ３が黒色表示され、次に、２番目の画素Ｐ３が白色表示され、残りの画素Ｐ３が黒色表示され、・・・、最後の画素Ｐ３が白色表示され、残りの画素Ｐ３が黒色表示される。このとき、各画素Ｐ３から出射された出射光Ｌ（白色光）は、ビームスプリッタ２１２で出射光Ｌ１と出射光Ｌ２とに分割される。出射光Ｌ１は、光学フィルタ部５０−１を介して２次元センサ６０−１に入射する。出射光Ｌ２は、カラーフィルタ２１４を介して２次元撮像素子８０に入射する。
【０１２４】
各画素Ｐ３から出射される出射光Ｌは、図４に示すＷ２５５である（フルホワイト）。図４に示すように、Ｗ２５５は、赤色成分、緑色成分、及び、青色成分を含む。従って、画素領域６１，６２，６３のそれぞれを構成する画素Ｐ１が、出射光Ｌ１を受光したとき、比較的大きな受光信号を出力する。
【０１２５】
画素領域６１を構成する画素Ｐ１が比較的大きい受光信号を出力したとき、２次元撮像素子８０の受光面８４を構成する画素Ｐ２の中で、比較的大きい受光信号を出力した画素Ｐ２が、第２の画素領域８１を構成する画素Ｐ２である。
【０１２６】
画素領域６２を構成する画素Ｐ１が比較的大きい受光信号を出力したとき、２次元撮像素子８０の受光面８４を構成する画素Ｐ２の中で、比較的大きい受光信号を出力した画素Ｐ２が、第２の画素領域８２を構成する画素Ｐ２である。
【０１２７】
画素領域６３を構成する画素Ｐ１が比較的大きい受光信号を出力したとき、２次元撮像素子８０の受光面８４を構成する画素Ｐ２の中で、比較的大きい受光信号を出力した画素Ｐ２が、第２の画素領域８３を構成する画素Ｐ２である。
【０１２８】
以上によって、第２の画素領域８１，８２，８３の受光面８４上の位置が算出される。
【０１２９】
次に、補正係数の算出について説明する。図３、図１９及び図２０を参照して、制御処理部７１は、標準表示装置の表示画面の全体が赤色の原色に表示された状態で、三刺激値ＸＹＺのＸ値、及び、三刺激値ＲＧＢのＲ値を算出する。詳しく説明すると、制御処理部７１は、画素領域６１を構成する画素群｛Ｐｒ（ｘｍｉｎ，ｊ）〜Ｐｒ（ｘｍａｘ，ｊ）で示される画素群｝について、画素値の平均値を算出する。すなわち、制御処理部７１は、その画素群を構成する全画素Ｐ１のそれぞれについて、画素Ｐ１から出力された受光信号（信号ＳＧ１）を用いて画素値を算出し、全画素Ｐ１の画素値の平均を算出する。算出された平均値は、三刺激値ＸＹＺの一つであるＸ値となる。また、制御処理部７１は、画素領域８１を構成する画素群について、画素値の平均値を算出する。すなわち、制御処理部７１は、その画素群を構成する全画素Ｐ２のそれぞれについて、画素Ｐ２から出力された受光信号（信号ＳＧ２）を用いて画素値を算出し、全画素Ｐ２の画素値の平均を算出する。算出された平均値は、三刺激値ＲＧＢの一つであるＲ値となる。
【０１３０】
制御処理部７１は、標準表示装置の表示画面の全体が緑色の原色に表示された状態で、三刺激値ＸＹＺのＹ値、及び、三刺激値ＲＧＢのＧ値を算出する。詳しく説明すると、制御処理部７１は、画素領域６２を構成する画素群｛Ｐｇ（ｘｍｉｎ，ｊ）〜Ｐｇ（ｘｍａｘ，ｊ）で示される画素群｝について、画素値の平均値を算出する。すなわち、制御処理部７１は、その画素群を構成する全画素Ｐ１のそれぞれについて、画素Ｐ１から出力された受光信号（信号ＳＧ１）を用いて画素値を算出し、全画素Ｐ１の画素値の平均を算出する。算出された平均値は、三刺激値ＸＹＺの一つであるＹ値となる。また、制御処理部７１は、画素領域８２を構成する画素群について、画素値の平均値を算出する。すなわち、制御処理部７１は、その画素群を構成する全画素Ｐ２のそれぞれについて、画素Ｐ２から出力された受光信号（信号ＳＧ２）を用いて画素値を算出し、全画素Ｐ２の画素値の平均を算出する。算出された平均値は、三刺激値ＲＧＢの一つであるＧ値となる。
【０１３１】
制御処理部７１は、標準表示装置の表示画面の全体が青色の原色に表示された状態で、三刺激値ＸＹＺのＺ値、及び、三刺激値ＲＧＢのＢ値を算出する。詳しく説明すると、制御処理部７１は、画素領域６３を構成する画素群｛Ｐｂ（ｘｍｉｎ，ｊ）〜Ｐｂ（ｘｍａｘ，ｊ）で示される画素群｝について、画素値の平均値を算出する。すなわち、制御処理部７１は、その画素群を構成する全画素Ｐ１のそれぞれについて、画素Ｐ１から出力された受光信号（信号ＳＧ１）を用いて画素値を算出し、全画素Ｐ１の画素値の平均を算出する。算出された平均値は、三刺激値ＸＹＺの一つであるＺ値となる。また、制御処理部７１は、画素領域８３を構成する画素群について、画素値の平均値を算出する。すなわち、制御処理部７１は、その画素群を構成する全画素Ｐ２のそれぞれについて、画素Ｐ２から出力された受光信号（信号ＳＧ２）を用いて画素値を算出し、全画素Ｐ２の画素値の平均を算出する。算出された平均値は、三刺激値ＲＧＢの一つであるＢ値となる。
【０１３２】
以上説明したように、制御処理部７１に備えられる第１の演算部７１０は、複数の画素領域６１，６２，６３にそれぞれ含まれる画素から出力された受光信号を用いて、三刺激値ＸＹＺを演算する（画素領域６１のＸ値、画素領域６２のＹ値、画素領域６３のＺ値を演算する）。また、制御処理部７１に備えられる第３の演算部７１５は、複数の第２の画素領域８１，８２，８３にそれぞれ含まれる画素から出力された受光信号を用いて、三刺激値ＲＧＢを演算する（画素領域８１のＲ値、画素領域８２のＧ値、画素領域８３のＢ値を演算する）。
【０１３３】
制御処理部７１は、算出した三刺激値ＲＧＢを、所定の変換式（公知の変換式）を用いて、三刺激値ＸＹＺに変換する。このときのＸ値をＸ’値とし、Ｙ値をＹ’値とし、Ｚ値をＺ’値とする。
【０１３４】
制御処理部７１は、Ｘ’値、Ｙ’値、Ｚ’値と、上記算出によって得られたＸ値、Ｙ値、Ｚ値とを用いて、以下の補正係数ΔＸ、ΔＹ、ΔＺを算出する。
ΔＸ＝Ｘ／Ｘ’
ΔＹ＝Ｙ／Ｙ’
ΔＺ＝Ｚ／Ｚ’
【０１３５】
以上説明したように、制御処理部７１は、第１の演算部７１０で演算された三刺激値と、第３の演算部７１５で演算された三刺激値と、を用いて、補正係数を算出する。
【０１３６】
２次元測色装置２００が、表示装置１０の表示画面１１に含まれる複数の測定箇所１３ａ〜１３ｉ（図７）のそれぞれについて、測色するとき、補正部７１６は、補正係数ΔＸ、ΔＹ、ΔＺを用いて、三刺激値ＸＹＺ（色に関する指標の一例）を補正する。
【０１３７】
測定箇所１３ａを例にして説明する。第２の演算部７１４は、２次元撮像素子８０の受光面８４を構成する全画素Ｐ２の中で、測定箇所１３ａから出射された出射光Ｌ（出射光Ｌ２）を受光した画素群を構成する画素Ｐ２のそれぞれについて、三刺激値ＲＧＢを算出し、算出した三刺激値ＲＧＢを、所定の変換式（公知の変換式）を用いて、三刺激値ＸＹＺに変換する。このときのＸ値をＸ’値とし、Ｙ値をＹ’値とし、Ｚ値をＺ’値とする。
【０１３８】
補正部７１６は、Ｘ’値、Ｙ’値、Ｚ’値と、補正係数ΔＸ、ΔＹ、ΔＺとを用いて、上記画素群を構成する画素Ｐ２のそれぞれについて、三刺激値ＸＹＺを補正する。制御処理部７１は、補正した三刺激値ＸＹＺの平均値を測定箇所１３ａの三刺激値ＸＹＺとする。制御処理部７１は、測定箇所１３ｂ〜１３ｉについても、測定箇所１３ａ同様にして、三刺激値ＸＹＺを算出する。
【０１３９】
以上説明したように、補正部７１６は、補正係数を用いて、第２の演算部７１４で演算された複数の測定箇所１３ａ〜１３ｉのそれぞれの三刺激値を補正する。
【０１４０】
実施形態に係る測色計２０（図１）を用いて求められた三刺激値は、２次元測色装置２００（図１９）に備えられる撮像部２１３と第２の演算部７１４とを用いて求められた三刺激値よりも測定精度が高いことを前提とする。補正係数は、２次元測色装置２００に備えられる光学フィルタ部５０−１、２次元センサ６０−１、及び、制御処理部７１を用いて求められた三刺激値を用いて算出される。すなわち、補正係数は、測色計２０を用いて求められた三刺激値を用いて算出される。２次元測色装置２００は、撮像部２１３と第２の演算部７１４とを用いて、複数の測定箇所１３ａ〜１３ｉのそれぞれの三刺激値を求め、そして、これらの三刺激値を、上記補正係数を用いて補正する。従って、複数の測定箇所１３ａ〜１３ｉのそれぞれについて、三刺激値の精度を向上させることができる。
【０１４１】
（実施形態の纏め）
実施形態の第１の局面に係る測色計は、透明基板と、測定対象物から出射された出射光を透過し、波長に対する分光透過率の特性が互いに異なり、前記透明基板の異なる位置にパターニングされた複数のフィルタと、を有する光学フィルタ部と、２次元的に配列された複数の画素を含む受光面を有しており、前記複数の画素のうち、前記出射光を受光した画素から受光信号が出力される２次元センサと、を備え、前記受光面の一部であり、２以上の画素を含む画素領域が、前記受光面の異なる位置に、複数設定されており、前記複数の画素領域のそれぞれは、前記複数のフィルタのそれぞれと対向しており、前記複数の画素領域のそれぞれには、対向する前記フィルタを透過した前記出射光が入射され、さらに、前記複数の画素領域にそれぞれ含まれる画素から出力された前記受光信号を用いて、色に関する指標を演算する第１の演算部を備える。
【０１４２】
複数のフィルタは、透明基板の異なる位置にパターニングされているので、複数のフィルタどうしは、パターニングによって分離されている。これにより、フィルタとフィルタとの間には、ダイシングよるデッドスペースが存在しない。従って、実施形態の第１の局面に係る測色計によれば、測定に使用する光の利用効率を向上させることができる。
【０１４３】
上記構成において、前記複数の画素領域にそれぞれ含まれる画素のなかで、前記指標の演算に使用する各画素群の画素位置を記憶する第１の記憶部をさらに含み、前記各画素群の画素位置は、前記複数のフィルタのそれぞれと前記受光面との位置関係に基づき予め求められて前記第１の記憶部に記憶されている。
【０１４４】
各画素群の画素位置は、それぞれ、複数のフィルタのそれぞれと受光面との位置関係に基づき予め求められて第１の記憶部に記憶されている。したがって、この構成によれば、２次元センサを搭載しつつ、高精度に測定することが可能になる。
【０１４５】
各画素群の画素位置は、例えば、受光面のうち、複数のフィルタと対向する箇所の位置である。詳しく説明すると、複数のフィルタが、例えば、Ｘフィルタ、Ｙフィルタ、Ｚフィルタとする。Ｘフィルタと対向する画素領域が第１の画素領域、Ｙフィルタと対向する画素領域が第２の画素領域、Ｚフィルタと対向する画素領域が第３の画素領域とする。第１の画素領域を構成する画素群の位置、第２の画素領域を構成する画素群の位置、第３の画素領域を構成する画素群の位置が、各画素群の画素位置である。画素群の画素位置は、例えば、画素群が規定する領域の四隅にある画素の位置で特定してもよいし、画素群が規定する領域の中央にある画素の位置で特定してもよい。
【０１４６】
上記構成において、前記複数の画素領域を画素領域群とし、複数の前記画素領域群を前記受光面の異なる位置に設定する設定部をさらに備え、前記測定対象物は、複数の測定箇所を有しており、前記複数の測定箇所と前記複数の画素領域群とにおいて、前記測定箇所と前記画素領域群とは、１対１対応をしており、前記第１の演算部は、前記測定箇所と１対１対応する前記画素領域群を構成する前記複数の画素領域にそれぞれ含まれる画素から出力された前記受光信号を用いて、前記指標を演算する処理を第１の処理とし、前記複数の測定箇所のそれぞれについて、前記第１の処理をする。
【０１４７】
この構成によれば、測定対象物が複数の測定箇所を有する場合、複数の測定箇所のそれぞれについて、色に関する指標を求めることができる。
【０１４８】
上記構成において、前記複数の画素領域群の中から１以上の前記画素領域群の選択が入力される第１の入力部をさらに備え、前記第１の演算部は、前記第１の入力部を用いて選択された１以上の前記画素領域群と１対１対応する前記測定箇所のそれぞれについて、前記第１の処理をする。
【０１４９】
この構成によれば、１つの測定箇所を有する測定対象物と複数の測定箇所を有する測定対象物のいずれにも対応することができる。
【０１５０】
上記構成において、前記複数の画素領域群の位置を示す位置情報が、前記測定対象物のアスペクト比に応じて定められており、前記位置情報と前記アスペクト比とを対応づけて予め記憶する第２の記憶部と、前記アスペクト比が入力される第２の入力部と、をさらに備え、前記第１の演算部は、前記第２の入力部を用いて入力された前記アスペクト比に対応付けられた前記位置情報で示す位置に設定された前記複数の画素領域群を用いて、前記複数の測定箇所のそれぞれについて、前記第１の処理をする。
【０１５１】
この構成によれば、測定対象物のアスペクト比（画面アスペクト比）が異なる場合に対応することができる。
【０１５２】
上記構成において、前記測定対象物から出射された前記出射光を前記光学フィルタ部に導く光学系と、前記光学フィルタ部の像を含む画像と前記光学系の撮像範囲を示す画像とを合成した合成画像を生成し、前記合成画像を表示部に表示させる表示制御部と、前記合成画像を用いて、前記複数の画素領域群のそれぞれについて、前記受光面上の位置を入力ができる第３の入力部と、をさらに備え、前記設定部は、前記第３の入力部を用いて入力された位置に前記複数の画素領域群を設定する。
【０１５３】
複数の画素領域群のうち、光学系の撮像範囲内に配置されていない画素領域群が存在すれば、この画素領域群と１対１対応する測定箇所の測色ができない。そこで、測色計の製造において、複数の画素領域群の全てが、光学系の撮像範囲内に入るように、複数の画素領域群のそれぞれの位置が、測色計に予め設定される。なお、光学系の撮像範囲は、光学系の視野範囲、又は、測色計の撮像範囲と言い換えることができる。
【０１５４】
しかし、測色計の使用が開始された後、何らかの原因で、光学系の光軸がずれたとき、光学系の撮像範囲内に配置されていない画素領域群が存在するおそれがある。そこで、この構成は、測定者やサービスマンが、複数の画素領域群のそれぞれの位置を設定できるようにする。
【０１５５】
上記構成において、前記測定対象物から出射された前記出射光を前記光学フィルタ部に導く光学系と、前記複数のフィルタは、所定の間隔を設けて、前記透明基板の異なる位置にパターニングされており、前記複数の画素領域のうち隣り合う前記画素領域において、一方の前記画素領域と対向する前記フィルタに入射した前記出射光が、他方の前記画素領域に入射しない、前記所定の間隔の最小値を下記式で示すＭｉｎとし、前記所定の間隔は、前記Ｍｉｎ以上である。
Ｍｉｎ＝ｋ×ｄ／Ｆｎｏ
（ここで、ｄは、対向する前記フィルタと前記画素領域との距離を示し、Ｆｎｏは、前記光学系のＦ値を示し、ｋは、比例定数を示す。）
【０１５６】
隣り合うフィルタにおいて、一方のフィルタに入射した出射光が、他方のフィルタと対向する画素領域に入射する現象が発生すれば、測色計の測定精度が低下する。なぜならば、この画素領域には、一方のフィルタに入射した出射光と、他方のフィルタに入射した出射光とが入射するからである。この構成によれば、上記現象を防止することができる。
【０１５７】
上記構成において、前記透明基板は、隣り合う前記フィルタ間を覆う遮光部を有する。
【０１５８】
隣り合うフィルタ間を通過した出射光が画素領域に入射すれば、測色計の測定精度が低下する。この構成によれば、隣り合うフィルタ間を覆う遮光部があるので、隣り合うフィルタ間を通過した出射光が画素領域に入射することを防止できる。
【０１５９】
実施形態の第２の局面に係る２次元測色装置は、上記測色計を備える２次元測色装置であって、前記出射光を２分割する光分割部と、前記２分割された一方の光の光路に配置された前記測色計と、前記２分割された他方の光の光路に配置された撮像部と、を備え、前記第１の演算部は、前記複数の画素領域にそれぞれ含まれる画素から出力された前記受光信号を用いて、前記指標として三刺激値を演算し、前記撮像部は、２次元撮像素子を含み、前記測定対象物に表示された色画像を撮像し、前記２次元測色装置は、さらに、前記撮像部から出力された前記色画像を示す信号を用いて、前記測定対象物に含まれる複数の測定箇所のそれぞれの三刺激値を演算する第２の演算部と、前記第１の演算部で演算された三刺激値を用いて算出された補正係数を用いて、前記第２の演算部で演算された前記複数の測定箇所のそれぞれの三刺激値を補正する補正部と、を備える。
【０１６０】
実施形態の第２の局面に係る２次元測色装置は、実施形態の第１の局面に係る測色計を備えるので、実施形態の第１の局面に係る測色計と同様の作用効果を有する。
【０１６１】
実施形態の第１の局面に係る測色計を用いて求められた三刺激値は、撮像部と第２の演算部とを用いて求められた三刺激値よりも測定精度が高いことを前提とする。補正係数は、実施形態の第１の局面に係る測色計を用いて求められた三刺激値を用いて算出される。実施形態の第２の局面に係る２次元測色装置は、撮像部と第２の演算部とを用いて、複数の測定箇所のそれぞれの三刺激値を求め、そして、これらの三刺激値を、上記補正係数を用いて補正する。従って、複数の測定箇所のそれぞれについて、三刺激値の精度を向上させることができる。
【０１６２】
上記構成において、前記２次元撮像素子は、前記複数の画素領域と１対１対応する複数の第２の画素領域を含み、１対１対応する前記画素領域と前記第２の画素領域とにおいて、前記画素領域が受光する前記出射光と前記第２の画素領域が受光する前記出射光とは、前記測定対象物の同じ箇所から出射された前記出射光であり、前記２次元測色装置は、さらに、前記複数の第２の画素領域にそれぞれ含まれる画素から出力された受光信号を用いて、三刺激値を演算する第３の演算部を備え、前記補正部は、前記第１の演算部で演算された三刺激値と、前記第３の演算部で演算された三刺激値とを用いて算出された前記補正係数を用いて、前記第２の演算部で演算された前記複数の測定箇所のそれぞれの三刺激値を補正する。
【０１６３】
この構成は、補正係数の求め方の一例である。
【０１６４】
本発明の実施形態が詳細に図示され、かつ、説明されたが、それは単なる図例及び実例であって限定ではない。本発明の範囲は、添付されたクレームの文言によって解釈されるべきである。
【０１６５】
２０１６年１１月１１日に提出された日本国特許出願特願２０１６−２２０５０３は、その全体の開示が、その全体において参照によりここに組み込まれる。
【産業上の利用可能性】
【０１６６】
本発明によれば、測色計及び２次元測色装置を提供することができる。
【図１Ａ】
2018088466.tif 000003
【図１Ｂ】
2018088466.tif 000004
【図１Ｃ】
2018088466.tif 000005
【図２】
2018088466.tif 000006
【図３】
2018088466.tif 000007
【図４】
2018088466.tif 000008
【図５】
2018088466.tif 000009
【図６】
2018088466.tif 000010
【図７】
2018088466.tif 000011
【図８】
2018088466.tif 000012
【図９】
2018088466.tif 000013
【図１０】
2018088466.tif 000014
【図１１】
2018088466.tif 000015
【図１２Ａ】
2018088466.tif 000016
【図１２Ｂ】
2018088466.tif 000017
【図１２Ｃ】
2018088466.tif 000018
【図１２Ｄ】
2018088466.tif 000019
【図１２Ｅ】
2018088466.tif 000020
【図１２Ｆ】
2018088466.tif 000021
【図１２Ｇ】
2018088466.tif 000022
【図１２Ｈ】
2018088466.tif 000023
【図１３】
2018088466.tif 000024
【図１４】
2018088466.tif 000025
【図１５】
2018088466.tif 000026
【図１６】
2018088466.tif 000027
【図１７】
2018088466.tif 000028
【図１８】
2018088466.tif 000029
【図１９】
2018088466.tif 000030
【図２０】
2018088466.tif 000031
【図２１】
2018088466.tif 000032
【図２２】
2018088466.tif 000033
【図２３】
2018088466.tif 000034
【図２４】
2018088466.tif 000035
【国際調査報告】
2018088466.tif 000036
2018088466.tif 000037
2018088466.tif 000038
2018088466.tif 000039